(57)【要約】【課題】  画像配信サーバ等を介さずに、端末間での画像等のデータの配信をリアルタイムに行うことが可能なデータ配信システムを提供する。【解決手段】  サーバ装置１は受信した契約ＩＤやパスワードを用いて受信端末３のユーザの認証を行い、一致すると、登録した受信端末３やデータ配信装置４の電話番号を検索する。サーバ装置１は検索された電話番号を基に配信開始要求を含むショートメッセージを電話網２００を介してデータ配信装置４に送信する。データ配信装置４はショートメッセージを解析し、サーバ装置１のグローバルＩＰアドレスを得ると、移動体パケット網１００、ＧＧＳＮ２を介してサーバ装置１に接続する。受信端末３はサーバ装置１に、そのデータ配信に使用するＵＤＰポートを通知する信号を送ることで、ＧＧＳＮ２にＵＤＰによるデータ配信を認識させ、ＵＤＰにてデータ配信装置４からのデータ配信を実現する。【選択図】      図１                                                  
2005092265.tif 000002
【特許請求の範囲】
【請求項１】
移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信システムであって、
前記データ配信装置及び前記受信端末各々が前記移動体パケット網及び前記サーバ装置を介して接続された時に前記サーバ装置にＵＤＰポートを通知する手段を前記受信端末に有し、
前記受信端末から通知された前記ＵＤＰポートを用いて前記データ配信装置からのデータを前記受信端末にリアルタイムに配信する手段を前記サーバ装置に有することを特徴とするデータ配信システム。
【請求項２】
前記受信端末は、前記データ配信装置からのデータを受信するまで前記ＵＤＰポートの通知を繰り返し行うことを特徴とする請求項１記載のデータ配信システム。
【請求項３】
前記受信端末は、前記データ配信装置からのデータを受信した後に前記ＵＤＰポートの通知を予め設定された周期で繰り返し行うことを特徴とする請求項１または請求項２記載のデータ配信システム。
【請求項４】
前記データ配信装置の電話番号に基づいてメッセージの送受信が可能なメッセージ通知媒体にて前記受信端末からの配信開始要求を前記データ配信装置に通知する手段を前記サーバ装置に含み、前記データ配信装置及び前記受信端末各々を前記移動体パケット網を介して前記サーバ装置に接続し、前記データ配信装置からのデータを前記サーバ装置を介して前記受信端末にリアルタイムに配信することを特徴とする請求項１から請求項３のいずれか記載のデータ配信システム。
【請求項５】
前記メッセージ通知媒体として、少なくともショートメッセージサービスとＭＭＳ（Ｍｕｌｔｉｍｅｄｉａ  Ｍｅｓｓａｇｉｎｇ  Ｓｅｒｖｉｃｅ）と電子メールサービスとのいずれかを用いることを特徴とする請求項４記載のデータ配信システム。
【請求項６】
前記メッセージ通知媒体によるメッセージを解析して前記サーバ装置のアドレス情報を取得する手段を前記データ配信装置に含み、その取得したアドレス情報を基に前記データ配信装置が前記移動体パケット網を介して前記サーバ装置に接続することを特徴とする請求項４または請求項５記載のデータ配信システム。
【請求項７】
前記アドレス情報は、グローバルＩＰ（Ｉｎｔｅｒｎｅｔ  Ｐｒｏｔｏｃｏｌ）アドレスであることを特徴とする請求項６記載のデータ配信システム。
【請求項８】
前記サーバ装置から前記受信端末に予め通知する契約ＩＤ及びパスワードを用いて前記受信端末のユーザ認証を行うことを特徴とする請求項１から請求項７のいずれか記載のデータ配信システム。
【請求項９】
前記データ配信装置は、少なくとも映像配信、静止画配信、音声配信、測定データ配信、テキストデータ配信のうちのいずれかを行うことを特徴とする請求項１から請求項８のいずれか記載のデータ配信システム。
【請求項１０】
データ配信装置と受信端末ともに移動体パケット網に接続され、前記データ配信装置から前記受信端末へのデータ配信を、ＵＤＰ（Ｕｓｅｒ  Ｄａｔａｇｒａｍ  Ｐｒｏｔｏｃｏｌ）を用いて行う際に当該データ配信を中継するサーバ装置であって、
前記データ配信装置及び前記受信端末各々が前記移動体パケット網及び前記サーバ装置を介して接続された時に前記受信端末から通知された前記ＵＤＰポートを用いて前記データ配信装置からのデータを前記受信端末にリアルタイムに配信する手段を有することを特徴とするサーバ装置。
【請求項１１】
前記データ配信装置の電話番号に基づいてメッセージの送受信が可能なメッセージ通知媒体にて前記受信端末からの配信開始要求を前記データ配信装置に通知する手段を含み、前記データ配信装置及び前記受信端末各々を前記移動体パケット網を介して自装置に接続され、前記データ配信装置からのデータを自装置を介して前記受信端末にリアルタイムに配信することを特徴とする請求項１０記載のサーバ装置。
【請求項１２】
前記メッセージ通知媒体として、少なくともショートメッセージサービスとＭＭＳ（Ｍｕｌｔｉｍｅｄｉａ  Ｍｅｓｓａｇｉｎｇ  Ｓｅｒｖｉｃｅ）と電子メールサービスとのいずれかを用いることを特徴とする請求項１１記載のサーバ装置。
【請求項１３】
前記データ配信装置が前記移動体パケット網を介して自装置に接続するためのアドレス情報を前記メッセージ通知媒体によるメッセージに付加して送信することを特徴とする請求項１１または請求項１２記載のサーバ装置。
【請求項１４】
前記アドレス情報は、グローバルＩＰ（Ｉｎｔｅｒｎｅｔ  Ｐｒｏｔｏｃｏｌ）アドレスであることを特徴とする請求項１３記載のサーバ装置。
【請求項１５】
自装置から前記受信端末に予め通知する契約ＩＤ及びパスワードを用いて前記受信端末のユーザ認証を行うことを特徴とする請求項１０から請求項１４のいずれか記載のサーバ装置。
【請求項１６】
前記データ配信装置が、少なくとも映像配信、静止画配信、音声配信、測定データ配信、テキストデータ配信のうちのいずれかを行うことを特徴とする請求項１０から請求項１５のいずれか記載のサーバ装置。
【請求項１７】
サーバ装置とデータ配信装置とともに移動体パケット網に接続され、前記データ配信装置から自端末へのデータ配信がＵＤＰ（Ｕｓｅｒ  Ｄａｔａｇｒａｍ  Ｐｒｏｔｏｃｏｌ）を用いて行われる受信端末であって、
前記データ配信装置及び前記受信端末各々が前記移動体パケット網及び前記サーバ装置を介して接続された時に前記サーバ装置に前記データ配信装置からのデータをリアルタイム配信するためのＵＤＰポートを通知する手段を有することを特徴とする受信端末。
【請求項１８】
前記データ配信装置からのデータを受信するまで前記ＵＤＰポートの通知を繰り返し行うことを特徴とする請求項１７記載の受信端末。
【請求項１９】
前記データ配信装置からのデータを受信した後に前記ＵＤＰポートの通知を予め設定された周期で繰り返し行うことを特徴とする請求項１７または請求項１８記載の受信端末。
【請求項２０】
前記データ配信装置は、少なくとも映像配信、静止画配信、音声配信、測定データ配信、テキストデータ配信のうちのいずれかを行うことを特徴とする請求項１７から請求項１９のいずれか記載の受信端末。
【請求項２１】
移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信方法であって、前記データ配信装置及び前記受信端末各々が前記移動体パケット網及び前記サーバ装置を介して接続された時に前記受信端末から前記サーバ装置にＵＤＰポートを通知し、前記サーバ装置が前記受信端末から通知された前記ＵＤＰポートを用いて前記データ配信装置からのデータを前記受信端末にリアルタイムに配信することを特徴とするデータ配信方法。
【請求項２２】
前記受信端末が前記データ配信装置からのデータを受信するまで前記ＵＤＰポートの通知を繰り返し行うことを特徴とする請求項２１記載のデータ配信方法。
【請求項２３】
前記受信端末が前記データ配信装置からのデータを受信した後に前記ＵＤＰポートの通知を予め設定された周期で繰り返し行うことを特徴とする請求項２１または請求項２２記載のデータ配信方法。
【請求項２４】
前記サーバ装置側に、前記データ配信装置の電話番号に基づいてメッセージの送受信が可能なメッセージ通知媒体にて前記受信端末からの配信開始要求を前記データ配信装置に通知するステップを含み、前記データ配信装置及び前記受信端末各々を前記移動体パケット網を介して前記サーバ装置に接続し、前記データ配信装置からのデータを前記サーバ装置を介して前記受信端末にリアルタイムに配信することを特徴とする請求項２１から請求項２３のいずれか記載のデータ配信方法。
【請求項２５】
前記メッセージ通知媒体として、少なくともショートメッセージサービスとＭＭＳ（Ｍｕｌｔｉｍｅｄｉａ  Ｍｅｓｓａｇｉｎｇ  Ｓｅｒｖｉｃｅ）と電子メールサービスとのいずれかを用いることを特徴とする請求項２４記載のデータ配信方法。
【請求項２６】
前記データ配信装置側に、前記メッセージ通知媒体によるメッセージを解析して前記サーバ装置のアドレス情報を取得するステップを含み、その取得したアドレス情報を基に前記データ配信装置が前記移動体パケット網を介して前記サーバ装置に接続することを特徴とする請求項２４または請求項２５記載のデータ配信方法。
【請求項２７】
前記アドレス情報は、グローバルＩＰ（Ｉｎｔｅｒｎｅｔ  Ｐｒｏｔｏｃｏｌ）アドレスであることを特徴とする請求項２６記載のデータ配信方法。
【請求項２８】
前記サーバ装置から前記受信端末に予め通知する契約ＩＤ及びパスワードを用いて前記受信端末のユーザ認証を行うことを特徴とする請求項２１から請求項２７のいずれか記載のデータ配信方法。
【請求項２９】
前記データ配信装置が、少なくとも映像配信、静止画配信、音声配信、測定データ配信、テキストデータ配信のうちのいずれかを行うことを特徴とする請求項２１から請求項２８のいずれか記載のデータ配信方法。
【請求項３０】
移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信方法のプログラムであって、前記サーバ装置のコンピュータに、前記データ配信装置及び前記受信端末各々が前記移動体パケット網及び前記サーバ装置を介して接続された時に前記受信端末から通知された前記ＵＤＰポートを用いて前記データ配信装置からのデータを前記受信端末にリアルタイムに配信する処理を実行させるためのプログラム。
【請求項３１】
移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信方法のプログラムであって、前記受信端末のコンピュータに、前記データ配信装置及び前記受信端末各々が前記移動体パケット網及び前記サーバ装置を介して接続された時に前記サーバ装置に前記データ配信装置からのデータをリアルタイム配信するためのＵＤＰポートを通知する処理を実行させるためのプログラム。
【発明の詳細な説明】
【技術分野】
【０００１】
本発明はデータ配信システム、サーバ装置、受信端末及びそれらに用いるデータ配信方法並びにそのプログラムに関し、特に移動体通信方式を用いる受信端末への映像等のデータ配信に関する。
【背景技術】
【０００２】
近年、移動体通信方式を用いる受信端末においては、情報機器の進展に伴って、静止画や動画像等の各種画像を受信可能とする環境が整ってきている。例えば、携帯電話機においては、移動体パケット網の整備に伴って、動画像の配信も視野に入ってきている。
【０００３】
この場合、移動体パケット網は、第２世代において、ＰＤＣ−Ｐ（Ｐｅｒｓｏｎａｌ  Ｄｉｇｉｔａｌ  Ｃｅｌｌｕｌａｒ−Ｐａｃｋｅｔ）やＣＤＰＤ（Ｃｅｌｌｕｌａｒ  Ｄｉｇｉｔａｌ  Ｐａｃｋｅｔ  Ｄａｔａ）、及びＧＰＲＳ（Ｇｅｎｅｒａｌ  Ｐａｃｋｅｔ  Ｒａｄｉｏ  Ｓｅｒｖｉｃｅ）として実現され、第３世代のＩＭＴ−２０００（Ｉｎｔｅｒｎａｔｉｏｎａｌ  Ｍｏｂｉｌｅ  Ｔｅｌｅｃｏｍｍｕｎｉｃａｔｉｏｎｓ−２０００）においてもパケット交換機能［ＰＤＳＮ（Ｐａｃｋｅｔ  Ｄａｔａ  Ｓｅｒｖｉｃｅ  Ｎｏｄｅ）／ＰＤＧＮ（Ｐａｃｋｅｔ  Ｄａｔａ  Ｇａｔａｗａｙ  Ｎｏｄｅ）］が定義されている。
【０００４】
上記の移動体パケット網において各種画像を配信する場合には、携帯端末等からの要求に応答してサーバに蓄積された画像が提供される方法が提案されている。この場合、例えば携帯電話機の場合には、その携帯電話機が収容されている移動体電話網に接続されたゲートウェイサーバがインタネットや専用線にて画像配信サーバに接続することで、画像配信サーバから携帯電話機へと画像が配信される（例えば、特許文献１，２参照）。
【０００５】
【特許文献１】特開２００１−２５７８６８号公報
【特許文献２】特開２００３−３７８３６号公報
【発明の開示】
【発明が解決しようとする課題】
【０００６】
上述した従来の移動体パケット網では、画像を配信するサービスを行う場合、配信先に動的に付与されたＩＰ（Ｉｎｔｅｒｎｅｔ  Ｐｒｏｔｏｃｏｌ）アドレスを用い、そのＩＰアドレス宛に画像が配信されるのが一般的である。
【０００７】
したがって、従来の移動体パケット網では、その通信網にそれぞれ接続された端末（固定の情報端末、移動可能な携帯端末）間で画像等のデータの授受を行おうとすると、その授受される画像等のデータを画像配信サーバ等に一旦蓄積しなければならず、端末間で画像等のデータの授受をリアルタイムに行うことができない。
【０００８】
例えば、従来の移動体パケット網にカメラが接続されている場合には、そのカメラから端末へ配信する際に、画像等のデータを画像配信サーバ等に一旦蓄積しなければならず、その画像を画像配信サーバ等を介さずに端末へ配信することはできない。
【０００９】
そこで、本発明の目的は上記の問題点を解消し、画像配信サーバ等を介さずに、端末間での画像等のデータの配信をリアルタイムに行うことができるデータ配信システム、サーバ装置、受信端末及びそれらに用いるデータ配信方法並びにそのプログラムを提供することにある。
【課題を解決するための手段】
【００１０】
本発明によるデータ配信システムは、移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信システムであって、
前記データ配信装置及び前記受信端末各々が前記移動体パケット網及び前記サーバ装置を介して接続された時に前記サーバ装置にＵＤＰポートを通知する手段を前記受信端末に備え、
前記受信端末から通知された前記ＵＤＰポートを用いて前記データ配信装置からのデータを前記受信端末にリアルタイムに配信する手段を前記サーバ装置に備えている。
【００１１】
本発明によるサーバ装置は、データ配信装置と受信端末ともに移動体パケット網に接続され、前記データ配信装置から前記受信端末へのデータ配信を、ＵＤＰ（Ｕｓｅｒ  Ｄａｔａｇｒａｍ  Ｐｒｏｔｏｃｏｌ）を用いて行う際に当該データ配信を中継するサーバ装置であって、
前記データ配信装置及び前記受信端末各々が前記移動体パケット網及び前記サーバ装置を介して接続された時に前記受信端末から通知された前記ＵＤＰポートを用いて前記データ配信装置からのデータを前記受信端末にリアルタイムに配信する手段を備えている。
【００１２】
本発明による受信端末は、サーバ装置とデータ配信装置とともに移動体パケット網に接続され、前記データ配信装置から自端末へのデータ配信がＵＤＰ（Ｕｓｅｒ  Ｄａｔａｇｒａｍ  Ｐｒｏｔｏｃｏｌ）を用いて行われる受信端末であって、
前記データ配信装置及び前記受信端末各々が前記移動体パケット網及び前記サーバ装置を介して接続された時に前記サーバ装置に前記データ配信装置からのデータをリアルタイム配信するためのＵＤＰポートを通知する手段を備えている。
【００１３】
本発明によるデータ配信方法は、移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信方法であって、前記データ配信装置及び前記受信端末各々が前記移動体パケット網及び前記サーバ装置を介して接続された時に前記受信端末から前記サーバ装置にＵＤＰポートを通知し、前記サーバ装置が前記受信端末から通知された前記ＵＤＰポートを用いて前記データ配信装置からのデータを前記受信端末にリアルタイムに配信している。
【００１４】
本発明によるデータ配信方法のプログラムは、移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信方法のプログラムであって、前記サーバ装置のコンピュータに、前記データ配信装置及び前記受信端末各々が前記移動体パケット網及び前記サーバ装置を介して接続された時に前記受信端末から通知された前記ＵＤＰポートを用いて前記データ配信装置からのデータを前記受信端末にリアルタイムに配信する処理を実行させている。
【００１５】
本発明による他のデータ配信方法のプログラムは、移動体パケット網に接続されるサーバ装置とデータ配信装置と受信端末とにおいて、前記データ配信装置から前記受信端末へのデータ配信を、ＵＤＰ（Ｕｓｅｒ  Ｄａｔａｇｒａｍ  Ｐｒｏｔｏｃｏｌ）を用いて行うデータ配信方法のプログラムであって、前記受信端末のコンピュータに、前記データ配信装置及び前記受信端末各々が前記移動体パケット網及び前記サーバ装置を介して接続された時に前記サーバ装置に前記データ配信装置からのデータをリアルタイム配信するためのＵＤＰポートを通知する処理を実行させている。
【００１６】
すなわち、本発明のデータ配信システムは、受信端末とデータ配信装置とがピアツーピア接続された状態において、受信端末がデータ配信装置からのデータ配信が可能なことを示す配信開始応答を受信した時、そのデータ配信に使用するＵＤＰ（Ｕｓｅｒ  Ｄａｔａｇｒａｍ  Ｐｒｏｔｏｃｏｌ）ポートをサーバ装置に通知することで、ＵＤＰによるデータ配信装置からのデータ配信をサーバ装置を介して受信端末に渡すことが可能となる。
【００１７】
また、本発明のデータ配信システムでは、受信端末からの配信開始要求に応答してその配信開始要求を、データ配信装置の電話番号を基にショートメッセージサービス［これ以外に、ＭＭＳ（Ｍｕｌｔｉｍｅｄｉａ  Ｍｅｓｓａｇｉｎｇ  Ｓｅｒｖｉｃｅ）や電子メールサービス等も可能］にてデータ配信装置に送り、データ配信装置にてショートメッセージ内のグローバルＩＰ（Ｉｎｔｅｒｎｅｔ  Ｐｒｏｔｏｃｏｌ）アドレスを基にサーバ装置に接続し、移動体パケット網において受信端末とデータ配信装置とをサーバ装置を介して接続している。
【００１８】
上記の構成とすることで、本発明のデータ配信システムでは、データ配信装置からのデータをサーバ装置が蓄積することなく、そのまま受信端末に中継することが可能となるため、画像配信サーバ等を介さずに、受信端末とデータ配信装置との間で画像等のデータの授受をリアルタイムに行うことが可能となる。
【００１９】
さらに、本発明のデータ配信システムでは、受信端末からサーバ装置へのＵＤＰポートの通知を予め設定された所定間隔で行うことで、サーバ装置を移動体パケット網に接続するためのＧＧＳＮ［Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］が受信端末からのアクセスがない場合にＵＤＰポートを自動的にクローズしたとしても、受信端末に対してデータ配信装置からのデータ配信を行うことが可能となる。
【発明の効果】
【００２０】
本発明は、以下に述べるような構成及び動作とすることで、画像配信サーバ等を介さずに、端末間での画像等のデータの配信をリアルタイムに行うことができるという効果が得られる。
【発明を実施するための最良の形態】
【００２１】
次に、本発明の実施の形態について図面を参照して説明する。図１は本発明の実施の形態によるデータ配信システムの構成を示すブロック図である。図１において、本発明の実施の形態によるデータ配信システムは移動体パケット網１００にＧＧＳＮ［Ｇａｔｅｗａｙ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］２を介して接続されかつ電話網（有線または無線）２００に接続されるサーバ装置１と、移動体パケット網１００に無線にて接続可能な受信端末３及びデータ配信装置４とから構成されており、データ配信装置４は電話網２００にも接続可能となっている。
【００２２】
受信端末３としては、固定のＰＣ（パーソナルコンピュータ）、移動可能なＰＤＡ（Ｐｅｒｓｏｎａｌ  Ｄｉｇｉｔａｌ  Ａｓｓｉｓｔａｎｔ）や携帯電話機等が考えられ、データ配信装置４としては、画像配信、音声配信、測定データ配信、テキストデータ配信等を行う装置が考えられる。
【００２３】
これら受信端末３やデータ配信装置４には予め電話番号が付与されているが、移動体パケット網１００を介してサーバ装置１に接続する場合に、ＧＧＳＮ２にて動的にＩＰ（Ｉｎｔｅｒｎｅｔ  Ｐｒｏｔｏｃｏｌ）アドレスが付与される。尚、サーバ装置１は、図１に示すように、ＧＧＳＮ２に直接接続することも、また図示していないが、インタネット網（図示せず）を介して接続することも可能である。
【００２４】
図２は図１のサーバ装置１の構成を示すブロック図である。図２において、サーバ装置１はデータ配信装置４からの配信データを受信端末３に中継するデータ中継部１１と、データ配信装置４からのデータ配信（認証も含む）を管理する配信管理部１２と、ショートメッセージを送信するＳＭＳ（Ｓｈｏｒｔ  Ｍｅｓｓａｇｅ  Ｓｅｒｖｉｃｅ）送信部１３と、サーバ装置１で実行するプログラム（コンピュータで実行可能なプログラム）を格納する記録媒体１４とから構成されている。
【００２５】
図３は図１の受信端末３の構成を示すブロック図である。図３において、受信端末３は移動体パケット網１００を介してパケットの授受を行う移動体網用ドライバ３１と、受信したパケットからデータを再構築するデータ受信部３２と、再構築されたデータに対して処理（例えば、再生処理等）を行うデータ処理部３３と、移動体パケット網１００との間の接続／切断を行うＧＰＲＳ接続／切断部３４と、受信端末３が実行するプログラム（コンピュータで実行可能なプログラム）を格納する記録媒体３５とから構成されている。
【００２６】
図４は図１のデータ配信装置４の構成を示すブロック図である。図４において、データ配信装置４は移動体パケット網１００や電話網２００を介してデータの授受を行う移動体網用ドライバ４１と、電話網２００を介して受取ったショートメッセージの解析を行うＳＭＳ解析部４２と、データ配信部４４から提供されるデータをサーバ装置１に送信するデータ送信部４３と、受信端末３に配信するデータの取得や生成、及び蓄積等を行うデータ配信部４４と、移動体パケット網１００との間の接続／切断を行うＧＰＲＳ接続／切断部４５とから構成されている。
【００２７】
これら図１〜図４を参照して本発明の実施の形態によるデータ配信システムの動作について説明する。以下、受信端末３からの要求に応答してサーバ装置１が受信端末３とデータ配信装置４とをピアツーピア接続する場合の動作について述べる。
【００２８】
受信端末３がデータ配信装置４からのデータ配信サービスを受けるために端末間で接続する場合（ピアツーピア接続）、まず、サーバ装置１には受信端末３やデータ配信装置４の電話番号が登録される。この時、サーバ装置１は受信端末３の電話番号に対応する契約ＩＤ（識別情報）やパスワードを生成して受信端末３のユーザに紙媒体等によって通知する。
【００２９】
受信端末３のユーザがデータ配信装置４からデータ配信サービスを受けたい場合、受信端末３は移動体パケット網２００及びＧＧＳＮ２を介してサーバ装置１に接続する。この場合、サーバ装置１には予めグローバルＩＰアドレスが付与されているので、受信端末３はそのグローバルＩＰアドレスを基にサーバ装置１への接続を行う。
【００３０】
受信端末３はサーバ装置１に接続され、ユーザによって契約ＩＤやパスワードが入力されると、それら契約ＩＤやパスワードを配信開始要求とともにサーバ装置１に送信する。サーバ装置１では配信管理部１２が受信端末３から受信した契約ＩＤやパスワードを用いて認証を行い、契約ＩＤやパスワードが予め蓄積された情報と一致すると、登録した受信端末３やデータ配信装置４の電話番号を検索する。
【００３１】
サーバ装置１は検索された電話番号を基に配信開始要求を含むショートメッセージをＳＭＳ送信部１３から電話網２００を介してデータ配信装置４に送信する。尚、ショートメッセージにはサーバ装置１のグローバルＩＰアドレスが付加されている。
【００３２】
データ配信装置４はサーバ装置１からショートメッセージを受信すると、そのショートメッセージをファイルへ保存するとともに、ＳＭＳ解析部４２にてショートメッセージを解析し、上記の配信開始要求及びサーバ装置１のグローバルＩＰアドレスを得る。データ配信装置４はサーバ装置１のグローバルＩＰアドレスを基に移動体パケット網１００及びＧＧＳＮ２を介してサーバ装置１に接続する。データ配信装置４はサーバ装置１との接続後、配信開始受付をサーバ装置１に送信する。
【００３３】
サーバ装置１はデータ配信装置４から配信開始受付を受信すると、配信開始応答を受信端末３に送信する。この後、サーバ装置１ではデータ中継部１１が配信管理部１２の情報を基に、データ配信装置４からのデータを受信端末３に中継するので、受信端末３とデータ配信装置４との間はサーバ装置１を介してピアツーピア接続された状態となる。
【００３４】
この場合、サーバ装置１は受信端末３とデータ配信装置４との間をピアツーピア接続させるための信号の授受にＴＣＰ（ＴｒａｎｓｍｉｓｓｉｏｎＣｏｎｔｒｏｌ  Ｐｒｏｔｏｃｏｌ）を用いているが、データ配信装置４からのデータ（映像、音声、測定データ、テキストデータ等）の配信にはＵＤＰ（Ｕｓｅｒ  Ｄａｔａｇｒａｍ  Ｐｒｏｔｏｃｏｌ）が用いられる。
【００３５】
ＧＧＳＮ２ではサーバ装置１と受信端末３との間の信号のやり取りにＴＣＰを用いることを認識しているが、サーバ装置１を通して受信端末３へと送られるＵＤＰによるデータ配信は認識していないため、そのデータ配信を遮断してしまう。
【００３６】
そのため、本発明の実施の形態では、受信端末３からサーバ装置１に、そのデータ配信に使用するＵＤＰポートを通知する信号を送ることで、ＧＧＳＮ２にＵＤＰによるデータ配信を認識させ、ＵＤＰにてデータ配信装置４から受信端末３へのデータ配信を実現する。
【００３７】
この場合、受信端末３は配信開始応答を受信すると、ＵＤＰポートを通知する信号をサーバ装置１に送信するが、このＵＤＰポートを通知する信号の送信はデータ配信装置４から配信されるデータが届くまで繰り返し行われる。また、ＧＧＳＮ２では受信端末３からのアクセスがない場合にＵＤＰポートを自動的にクローズしてしまうので、受信端末３はＵＤＰポートを通知する信号を所定間隔でサーバ装置１に送信する。
【００３８】
このように、本発明の実施の形態では、新規に通信回線を構築することなく、しかも画像配信サーバ等を介することなく、端末間での画像等のデータ（映像、音声、測定データ、テキストデータ等）を既存の移動体パケット網１００を利用してリアルタイムに配信することができる。
【００３９】
これによって、本発明の実施の形態では、新規に通信回線を構築する必要がないので、コストの削減を図ることができる。よって、本発明の実施の形態では、受信端末３をＰＤＡや携帯電話機等とすることで、場所を選ぶことなく、映像の受信や遠隔監視が可能となる。しかも、データ配信装置４から受信端末３へのデータ配信にＵＤＰを用いることができる。
【実施例１】
【００４０】
次に、本発明の実施例について図面を参照して説明する。図５は本発明の一実施例による映像配信システムの構成を示すブロック図である。図５において、本発明の一実施例による映像配信システムはサーバ装置１をＰ２ＰＧＷ（Ｐｅｅｒ  ｔｏ  Ｐｅｅｒ  Ｇａｔａｗａｙ）５とし、データ配信装置４を映像配信装置６とした以外は図１に示す本発明の実施の形態によるデータ配信システムの構成と同様の構成となっている。尚、Ｐ２ＰＧＷ５は図２に示すサーバ装置１と同様の構成となっているので、その構成の説明は省略する。
【００４１】
図６は図５の受信端末３の構成を示すブロック図である。図６において、受信端末３はデータ処理部３３としてデコーダ３６を配置し、ディスプレイ３７を追加した以外は図３に示す本発明の実施の形態による受信端末３と同様の構成となっており、同一構成要素には同一符号を付してある。また、その同一構成要素の動作は本発明の実施の形態と同様である。
【００４２】
図７は図５の映像配信装置６の構成を示すブロック図である。図７において、映像配信装置６はデータ配信部４４としてカメラ６１とエンコーダ６２とを配置した以外は図４に示す本発明の実施の形態によるデータ配信装置４と同様の構成となっており、同一構成要素には同一符号を付してある。また、その同一構成要素の動作は本発明の実施の形態と同様である。
【００４３】
図８及び図９は本発明の一実施例による映像配信システムのＵＤＰによる映像配信動作を示すシーケンスチャートである。これら図５〜図９を参照して本発明の一実施例による映像配信システムのＵＤＰによる映像配信動作について説明する。
【００４４】
以下、受信端末３からの要求に応答してＰ２ＰＧＷ５が受信端末３と映像配信装置６とをピアツーピア接続し、映像配信装置６がＵＤＰにて映像配信を行う場合の動作について述べる。尚、図９に示す動作はＰ２ＰＧＷ５及び受信端末３が記録媒体１４，３５に格納されたプログラムを実行することで実現される。
【００４５】
まず、映像配信装置６が受信端末３に対して直接、映像配信を行う場合、受信端末３は移動体パケット網２００及びＧＧＳＮ２を介してＰ２ＰＧＷ５にオンデマンド（Ｏｎ  Ｄｅｍａｎｄ）配信開始要求を送信する。
【００４６】
この場合、Ｐ２ＰＧＷ５には予めグローバルＩＰアドレスが付与されているので、受信端末３はそのグローバルＩＰアドレスを基に、ＴＣＰにてＰ２ＰＧＷ５に対してオンデマンド配信開始要求を送信する（図８のａ１〜ａ３）。この時、ＧＧＳＮ２は受信端末３に対して動的にＩＰアドレスを付与し（図８のａ２）、このオンデマンド配信開始要求に対する応答の送信先を特定可能とする。
【００４７】
この後、受信端末３はＰ２ＰＧＷ５に対してＵＤＰにてデコーダＵＤＰポート通知を行う（図８のａ４）。Ｐ２ＰＧＷ５は受信端末３からのデコーダＵＤＰポート通知を受信すると、映像配信装置６の電話番号を検索し、検索した電話番号を基にＳＭＳにてオンデマンド配信開始要求とデコーダＵＤＰポート通知と受信端末３に付与されたＩＰアドレスとを含むショートメッセージをＳＭＳ送信部１３から電話網２００を介して映像配信装置６に送信する（図８のａ５）。尚、ショートメッセージにはＰ２ＰＧＷ５のグローバルＩＰアドレスが付加されている。
【００４８】
映像配信装置６はＰ２ＰＧＷ５からショートメッセージを受信すると、そのショートメッセージをファイルへ保存するとともに、ＳＭＳ解析部４２にてショートメッセージを解析し、上記のオンデマンド配信開始要求とデコーダＵＤＰポート通知と受信端末３に付与されたＩＰアドレスとＰ２ＰＧＷ５のグローバルＩＰアドレスとを得る。
【００４９】
映像配信装置６はＰ２ＰＧＷ５のグローバルＩＰアドレスを基に移動体パケット網１００及びＧＧＳＮ２を介して、ＴＣＰにてＰ２ＰＧＷ５にオンデマンド配信開始受付を送信する（図８のａ６〜ａ８）。この時、ＧＧＳＮ２は映像配信装置６に対して動的にＩＰアドレスを付与する（図８のａ７）。
【００５０】
この後、映像配信装置６はＰ２ＰＧＷ５に対してＵＤＰにてエンコーダＵＤＰポート通知を行う（図８のａ９）。Ｐ２ＰＧＷ５は映像配信装置６からオンデマンド配信開始受付を受信すると、オンデマンド配信開始応答を受信端末３に送信する（図８のａ１０，ａ１１）。この後、Ｐ２ＰＧＷ５ではデータ中継部１１が配信管理部１２の情報を基に、映像配信装置６からのデータを受信端末３に中継するので、受信端末３と映像配信装置６との間はＰ２ＰＧＷ５を介してピアツーピア接続された状態となる。
【００５１】
映像配信装置６は上記の処理を行った後に、受信端末３に付与されたＩＰアドレス宛に映像をＵＤＰにて送信するが、ＧＧＳＮ２が受信端末３からのアクセスがない場合にＵＤＰポートを自動的にクローズしてしまうので、受信端末３は映像配信装置６からの映像を受信することができない。
【００５２】
そこで、本実施例では、図９に示すシーケンスにて映像配信装置６からの映像を受信端末３に送信している。すなわち、映像配信装置６が受信端末３に対して直接、映像配信を行う場合、受信端末３は移動体パケット網２００及びＧＧＳＮ２を介してＰ２ＰＧＷ５にオンデマンド配信開始要求を送信する。
【００５３】
この場合、Ｐ２ＰＧＷ５には予めグローバルＩＰアドレスが付与されているので、受信端末３はそのグローバルＩＰアドレスを基に、ＴＣＰにてＰ２ＰＧＷ５に対してオンデマンド配信開始要求を送信する（図９のｂ１〜ｂ３）。この時、ＧＧＳＮ２は受信端末３に対して動的にＩＰアドレスを付与し（図９のｂ２）、このオンデマンド配信開始要求に対する応答の送信先を特定可能とする。
【００５４】
Ｐ２ＰＧＷ５は受信端末３からオンデマンド配信開始要求を受信すると、映像配信装置６の電話番号を検索し、検索した電話番号を基にＳＭＳにてオンデマンド配信開始要求を含むショートメッセージをＳＭＳ送信部１３から電話網２００を介して映像配信装置４に送信する（図９のｂ４）。尚、ショートメッセージにはＰ２ＰＧＷ５のグローバルＩＰアドレスが付加されている。
【００５５】
映像配信装置６はＰ２ＰＧＷ５からショートメッセージを受信すると、そのショートメッセージをファイルへ保存するとともに、ＳＭＳ解析部４２にてショートメッセージを解析し、上記のＰ２ＰＧＷ５のグローバルＩＰアドレスとを得る。
【００５６】
映像配信装置６はＰ２ＰＧＷ５のグローバルＩＰアドレスを基に移動体パケット網１００及びＧＧＳＮ２を介して、ＴＣＰにてＰ２ＰＧＷ５にオンデマンド配信開始受付を送信する（図９のｂ５〜ｂ７）。この時、ＧＧＳＮ２は映像配信装置６に対して動的にＩＰアドレスを付与する（図９のｂ６）。
【００５７】
Ｐ２ＰＧＷ５は映像配信装置６からオンデマンド配信開始受付を受信すると、オンデマンド配信開始応答を受信端末３に送信する（図９のｂ８，ｂ９）。この後、Ｐ２ＰＧＷ５ではデータ中継部１１が配信管理部１２の情報を基に、映像配信装置６からのデータを受信端末３に中継するので、受信端末３と映像配信装置６との間はＰ２ＰＧＷ５を介してピアツーピア接続された状態となる。
【００５８】
映像配信装置６は上記の処理を行った後に、受信端末３に付与されたＩＰアドレス宛に映像をＵＤＰにて送信する（図９のｂ１０，ｂ１３）。また、受信端末３はＰ２ＰＧＷ５からのオンデマンド配信開始応答を受信すると、ＵＤＰポートを通知するために受信開始をＵＤＰにてＰ２ＰＧＷ５に送信する（図９のｂ１１，ｂ１２）。この場合、受信端末３は受信開始を映像配信装置６から配信される映像が届くまで、短周期で繰り返し送信する。
【００５９】
これによって、Ｐ２ＰＧＷ５は映像配信装置６から配信される映像を受信端末３から通知されるＵＤＰポートを介して受信端末３に送る。尚、Ｐ２ＰＧＷ５は映像配信装置６から配信される映像のうち、受信端末３から受信開始が通知される前に受取った映像を破棄する。
【００６０】
また、ＧＧＳＮ２では受信端末３からのアクセスがない場合にＵＤＰポートを自動的にクローズしてしまうので、受信端末３は上記の受信開始を所定間隔でＰ２ＰＧＷ５に通知する。
【００６１】
このように、本実施例では、新規に通信回線を構築することなく、しかも画像配信サーバ等を介することなく、端末間での画像等のデータ（映像、音声、測定データ、テキストデータ等）を既存の移動体パケット網１００を利用してリアルタイムに配信することができる。
【００６２】
これによって、本実施例では、新規に通信回線を構築する必要がないので、コストの削減を図ることができる。よって、本実施例では、受信端末３をＰＤＡや携帯電話機等とすることで、場所を選ぶことなく、映像の受信や遠隔監視が可能となる。しかも、映像配信装置６から受信端末３への映像配信にＵＤＰを用いることができる。
【産業上の利用可能性】
【００６３】
本発明は、単一方向（移動体パケット網からインタネットへの方向、あるいはインタネットから移動体パケット網への方向）でのデータ配信機能として、または複数の受信端末へのデータ配信機能（マルチ端末へのデータ配信機能）として、もしくは異なる移動体パケット網間におけるデータ配信機能としても使用することが可能である。
【００６４】
また、本発明は、上記の映像の配信機能以外にも、静止画の配信機能、音声の配信機能、測定器の測定データの配信機能、テキストデータの配信機能等にも適用可能である。
【００６５】
さらに、本発明は、上記の受信端末とデータ配信装置または映像配信装置との間のピアツーピア接続をサーバ装置またはＰ２ＰＧＷからデータ配信装置または映像配信装置へのショートメッセージの送付で実現しているが、他の方法によって受信端末とデータ配信装置または映像配信装置との間のピアツーピア接続を実現してもよい。例えば、本発明では、上記のショートメッセージサービス以外にも、ＭＭＳ（Ｍｕｌｔｉｍｅｄｉａ  Ｍｅｓｓａｇｉｎｇ  Ｓｅｒｖｉｃｅ）や電子メールサービス等も利用可能である。
【図面の簡単な説明】
【００６６】
【図１】本発明の実施の形態によるデータ配信システムの構成を示すブロック図である。
【図２】図１のサーバ装置の構成を示すブロック図である。
【図３】図１の受信端末の構成を示すブロック図である。
【図４】図４は図１のデータ配信装置の構成を示すブロック図である。
【図５】本発明の一実施例による映像配信システムの構成を示すブロック図である。
【図６】図５の受信端末の構成を示すブロック図である。
【図７】図５の映像配信装置の構成を示すブロック図である。
【図８】本発明の一実施例による映像配信システムのＵＤＰによる映像配信動作を示すシーケンスチャートである。
【図９】本発明の一実施例による映像配信システムのＵＤＰによる映像配信動作を示すシーケンスチャートである。
【符号の説明】
【００６７】
１  サーバ装置
２  ＧＧＳＮ
３  受信端末
４  データ配信装置
５  Ｐ２ＰＧＷ
６  映像配信装置
１１  データ中継部
１２  配信管理部
１３  ＳＭＳ送信部
１４，３５  記録媒体
３１，４１  移動体網用ドライバ
３２  データ受信部
３３  データ処理部
３４，４５  ＧＰＲＳ接続／切断部
３６  デコーダ
３７  ディスプレイ
４２  ＳＭＳ解析部
４３  データ送信部
４４  データ配信部
６１  カメラ
６２  エンコーダ
１００  移動体パケット網
２００  電話網
【図１】
2005092265.tif 000003
【図２】
2005092265.tif 000004
【図３】
2005092265.tif 000005
【図４】
2005092265.tif 000006
【図５】
2005092265.tif 000007
【図６】
2005092265.tif 000008
【図７】
2005092265.tif 000009
【図８】
2005092265.tif 000010
【図９】
2005092265.tif 000011